(57)【要約】【課題】新規な電気回路及びその自律回路内の電源としての使用を提供する。【解決手段】保守努力が軽減されている自律電気回路が示される。本回路は、太陽電池を用いたエネルギー変換器及び固体蓄電池を用いたエネルギー貯蔵システムを有する。エネルギー変換器が、エネルギー貯蔵システムを離散時間間隔で充電するのに好適であり、エネルギー貯蔵システムが、エネルギーを連続して提供するのに好適である。【選択図】  図１
2020520214.tif 000002
【特許請求の範囲】
【請求項１】
エネルギー変換器（ＥＷ）と、
エネルギー貯蔵システム（ＥＳ）と、
第１の端子（Ａ１）及び第２の端子（Ａ２）と
を具備する電気回路（ＳＥＳ）であって、
前記エネルギー変換器（ＥＷ）が、前記第１の端子（Ａ１）及び前記第２の端子（Ａ２）と電気的に結合されており、
前記エネルギー貯蔵システム（ＥＳ）が、前記第１の端子（Ａ１）及び前記第２の端子（Ａ２）と電気的に結合されており、
前記エネルギー変換器（ＥＷ）が、前記エネルギー貯蔵システム（ＥＳ）を離散時間間隔で充電するのに好適であり、及びそれを目的としており、
前記エネルギー貯蔵システム（ＥＳ）が、エネルギーを連続して提供するのに好適であり、及びそれを目的としており、
前記エネルギー変換器（ＥＷ）が、太陽電池（ＳＷ）を備え、
前記エネルギー貯蔵システム（ＥＳ）が、固体蓄電池（ＦＫＡ）を備える、電気回路（ＳＥＳ）。
【請求項２】
前記エネルギー変換器（ＥＷ）及び前記エネルギー貯蔵システム（ＥＳ）が並列に相互接続されている、請求項１に記載の電気回路（ＳＥＳ）。
【請求項３】
前記エネルギー貯蔵システム（ＥＳ）と前記エネルギー変換器（ＥＷ）との間に相互接続されているダイオード（Ｄ）をさらに具備する、請求項１又は２に記載の電気回路（ＳＥＳ）。
【請求項４】
前記エネルギー貯蔵システム（ＥＳ）と並列に、かつ、前記エネルギー変換器（ＥＷ）と並列に相互接続されているバリスタ（Ｖ）をさらに具備する、請求項１〜３のいずれか一項に記載の電気回路（ＳＥＳ）。
【請求項５】
前記固体蓄電池（ＦＫＡ）と直列に相互接続されている抵抗素子（ＲＥ）を、前記エネルギー貯蔵システム（ＥＳ）内にさらに備える、請求項１〜４のいずれか一項に記載の電気回路（ＳＥＳ）。
【請求項６】
前記固体蓄電池（ＦＫＡ）と並列に相互接続されている容量性素子（ＫＥ）を、前記エネルギー貯蔵システム（ＥＳ）内にさらに備える、請求項１〜５のいずれか一項に記載の電気回路（ＳＥＳ）。
【請求項７】
前記エネルギー変換器（ＥＷ）が、直列相互接続されている３つ又は６つの太陽電池（ＳＺ）を備え、
前記エネルギー貯蔵システム（ＥＳ）が、直列相互接続されている１つ又は２つの固体蓄電池（ＦＫＡ）を備える、請求項１〜６のいずれか一項に記載の電気回路（ＳＥＳ）。
【請求項８】
少なくとも１つの固体蓄電池（ＦＫＡ）が、リフローはんだ付け可能ＳＭＤデバイスの形態をとる、請求項１〜７のいずれか一項に記載の電気回路（ＳＥＳ）。
【請求項９】
少なくとも１つの回路構成要素が、セラミック多層基板に埋め込まれている、請求項１〜８のいずれか一項に記載の電気回路（ＳＥＳ）。
【請求項１０】
少なくとも２つの異なる回路構成要素が、構造的に組み合わされて１つのモジュールとなっている、請求項１〜９のいずれか一項に記載の電気回路（ＳＥＳ）。
【請求項１１】
少なくとも１つの回路素子が、パッケージ内に配置されており、前記パッケージの形状及びサイズが従来の市販電池の形状及びサイズをモデルにしていることから、前記パッケージを、そのような電池用のホルダに挿入することができる、請求項１〜１０のいずれか一項に記載の電気回路（ＳＥＳ）。
【請求項１２】
請求項１〜１１のいずれか一項に記載の電気回路（ＳＥＳ）の、自律回路内の電源としての使用。
【請求項１３】
前記自律回路が、無線回路、照明スイッチ、警報システム、火災検知器、時計、リモートコントローラ、測候器、及び動作検知器から選択される、請求項１２に記載の使用。
【請求項１４】
前記自律回路が、センサ及び無線センサから選択される、請求項１２に記載の使用。
【請求項１５】
前記センサが、放射線、圧力、温度、湿度、化学物質の存在、ガス、若しくは加速度、又はそれらの任意の所望の組み合わせを検知するように構成される、請求項１４に記載の使用。
【発明の詳細な説明】
【技術分野】
【０００１】
本発明は、電気回路、例えば、自律エネルギー供給を必要とする電気系統用の電気回路、及びそのような回路の使用に関する。
【背景技術】
【０００２】
電気回路には特定の位置においてその地点に電力端子がなくとも電気エネルギーを供給されなければならないという状況が生じる。例えば、建物に対して遡及的に変更がなされる場合、電力ケーブルが敷設され得るが、電力ケーブルの敷設は、一般に、多くの費用及び人手を要するものであり、また美的外観を損なうことがある。
【０００３】
例えば、電源のないところに照明スイッチを配置して動作させるために、無線モジュール付きの照明スイッチを使用することができ、この無線モジュールには、従来の電池によって電気エネルギーが供給される。
【０００４】
別の可能性としては、例えば、運動エネルギー、例えば、スイッチ作動動作からのエネルギーを電気エネルギーに変換する磁気又は圧電エネルギーコンバータ（「ハーベスタ」）を有するスイッチを使用するものである。しかしながら、そのようなハーベスタは、入手に費用がかかり、また通常、より扱いにくい。
【発明の概要】
【０００５】
したがって、従来の回路と、例えば、スイッチと、動作に差がなく、電池を定期的に交換する必要のない電気回路が望まれている。
【０００６】
この目的のため、独立請求項は、対応する電気回路を示す。従属請求項は、有利な構成を示す。
【０００７】
本電気回路は、エネルギー変換器と、エネルギー貯蔵システムと、第１の端子及び第２の端子とを有する。エネルギー変換器は、第１の端子及び第２の端子と電気的に結合されている。エネルギー貯蔵システムも同様に、第１の端子及び第２の端子と電気的に結合されている。エネルギー変換器は、エネルギー貯蔵システムを離散時間間隔で充電するのに好適であり、及びそれを目的としている。エネルギー貯蔵システムは、エネルギーを連続して提供するのに好適であり、及びそれを目的としている。エネルギー変換器は、少なくとも１つの太陽電池を備える。エネルギー貯蔵システムは、少なくとも１つの固体蓄電池を備える。
【０００８】
第１の端子及び第２の端子は、ここでは実質的には、２つの端子であり、これらの２つの端子を介して電気回路は、電気エネルギーをさらなる回路構成要素又は外部回路環境へ出力することができる。太陽電池を用いたエネルギー変換器は、電磁エネルギー、好ましくは可視スペクトル内の電磁エネルギーを電気エネルギーに変換することを目的としている。固体蓄電池を用いたエネルギー貯蔵システムは、エネルギー変換器からのエネルギーを、特定の時間間隔で、例えば、太陽電池に光が当たるときに受信し、それを一時的に格納することを目的としている。これは、太陽電池に光が当たらないときにさえ電気エネルギーが２つの端子において（連続的に）提供されることを意味する。本電気回路は、暗い中でもエネルギーを提供するエネルギー源を有する。
【０００９】
エネルギー貯蔵システムの固体蓄電池は、蓄電池の電極及び電極間の電解質が非液体物質からなる蓄電池設計である。
【００１０】
そのような固体蓄電池は、小寸法で、及び多数の異なる物理的形態で生成され得る。
【００１１】
ユーザにとっては、電池を定期的に交換する必要がないという利点が達成される。同時に、磁気又は圧電ハーベスタを使用したソリューションと比較すると、追加の空間が必要とされず、及び費用は増加せず、又は低減さえする。
【００１２】
スイッチ、例えば、照明スイッチの作動も、通常のスイッチングのように感じることができる。
【００１３】
固体蓄電池の使用は、従来の蓄電池においてしばしば腐食特性を有する電解質の漏出の危険を取り除く。さらには、固体蓄電池の自己発火の危険も低減される。蓄電池は、事実上任意の所望の形態をとることができる。少なくとも、蓄電池が特に小さい寸法を有することが意図されており、この目的のために安定化外殻なしに設計される場合、機械抵抗は、伝統的な従来の電池又は蓄電池よりも優れている。
【００１４】
電極又は電解質に使用され得る物質は、固体蓄電池に使用される従来の物質である。
【００１５】
エネルギー変換器及びエネルギー貯蔵システムは、並列に相互接続されることが可能である。
【００１６】
並列相互接続では、エネルギー変換器は、例えば入射光があった場合に、エネルギー貯蔵システムを充電することができる。さらには、エネルギーが必要とされており、同時に、光がエネルギー変換器の太陽電池に当たっている場合には、エネルギー変換器及びエネルギー貯蔵システムの両方が一緒に、エネルギーを他の回路構成要素へ出力することができる。
【００１７】
電気回路は、ダイオードを追加的に具備することが可能である。ダイオードは、エネルギー貯蔵システムとエネルギー変換器との間に相互接続され得る。ダイオードは、エネルギー貯蔵システムの電極とエネルギー変換器の電極との間に直列に相互接続されることが可能である。
【００１８】
ダイオードは、例えば、暗い場合、及び暗い中でのエネルギー変換器の有限導電率の場合には、エネルギー変換器上の自己放電からエネルギー貯蔵システムを保護する役割を果たす。
【００１９】
この場合、ダイオードは、エネルギー変換器がエネルギー貯蔵システムを充電している間、ダイオード自体の抵抗ができる限り低くなるように相互接続されることが好ましい。次いで、ダイオードは、反対の電流方向とするために、非導電性方向に切り替えられる。
【００２０】
電気回路は、バリスタを追加的に有することが可能である。バリスタは、エネルギー貯蔵システムと並列に、かつ、エネルギー変換器と並列に相互接続されることが好ましい。
【００２１】
バリスタは、電圧依存性抵抗を有するデバイスである。バリスタの電気抵抗は、印加電圧が増大すると減少する。
【００２２】
印加される電圧が低いとき、バリスタは、非常に高い電気抵抗を有することが好ましい。高電圧の場合、バリスタは、非常に低い電気抵抗を有することが好ましい。
【００２３】
例えば、エネルギー変換器が、例えば強い入射光下にあり、フルエネルギー貯蔵システムを伴うか、又は他の回路構成要素が過剰なエネルギーを提供している場合、バリスタを使用すると、エネルギー貯蔵システムは、過負荷から保護され得る。
【００２４】
このようにバリスタは、特に太陽電池のための、過電圧保護としての役割を果たす。
【００２５】
電気回路は、抵抗素子を追加的に具備することが可能である。抵抗素子は、エネルギー貯蔵システム内で固体蓄電池と直列に相互接続され得る。
【００２６】
したがって、抵抗素子、例えば、オーム抵抗器は、過剰に高い充電電流を防ぐ直列抵抗器を構成することができる。
【００２７】
電気回路は、エネルギー貯蔵システム内の容量性素子を追加的に具備することが可能である。容量性素子は、固体蓄電池と並列に相互接続され得る。
【００２８】
容量性素子、例えば、コンデンサは、比較的高い電力の電気エネルギーの提供の際に、例えば、個々のスイッチング動作のために、固体蓄電池が利用することのできるバックアップコンデンサを構成することができる。
【００２９】
固体蓄電池は、比較的高い内部抵抗を有し、これはコンデンサにより補償される。
【００３０】
エネルギー変換器は、３つ又は６つの太陽電池を備えることが可能である。太陽電池は、この場合、直列相互接続され得る。加えて、エネルギー貯蔵システムは、直列相互接続されている１つ又は２つの固体蓄電池を備えることができる。
【００３１】
個々の太陽電池は、約０．５Ｖの電圧を、対応する光量を受光する場合に、提供することができる。
【００３２】
固体蓄電池は、充電されると、約１．５Ｖのレベルで従来の供給電圧を提供することができる。
【００３３】
約１．５Ｖの供給電圧を有する固体蓄電池は、この場合、１．５Ｖの供給電圧を有する従来の電池と置き換えることができる。
【００３４】
直列相互接続されており、各々が個々に０．５Ｖの供給電圧を提供することができる３つの太陽電池は、合わせて約１．５Ｖの供給電圧を提供することができ、したがって１．５Ｖの供給電圧を有する固体蓄電池を充電するのによく適している。
【００３５】
同じことが、関連した供給電圧倍数に当てはまる。例えば、６つの直列相互接続された太陽電池は、２つの蓄電池の直列相互接続を充電することができる。２つの直列相互接続された蓄電池は、この場合、３Ｖの供給電圧を提供することができる。そのような電気相互接続は、２つの直列接続された従来の電池を用いた電源の代わりを構成することができる。
【００３６】
それに応じて、電気回路もまた、３、４、５、６、７、８、９、又は１０個の固体蓄電池、及びそれに応じて、エネルギー貯蔵システム内に９、１２、１５、１８、２１、２４、２７、又は３０個の太陽電池を具備することができる。
【００３７】
固体蓄電池は、リフローはんだ付け可能ＳＭＤデバイスの形態をとることが可能である。これは別途、従来の電池若しくは蓄電池を用いて達成することはできず、又は過度に高い技術的複雑性及び対応する費用がなければ達成することはできない。
【００３８】
リフローはんだ付けは、ＳＭＤデバイスをはんだ付けするための軟質はんだ付け法である。固体蓄電池は、その構成物質が少なくともはんだ付けに関わる比較的短い時間の間は、固体蓄電池が損傷を受けることなく、リフローはんだ付け中に生じる温度に容易に耐えることから、リフローはんだ付けによく適している。同じことが、電気回路の他の回路構成要素にも当てはまる。
【００３９】
ＳＭＤデバイス（ＳＭＤ＝Ｓｕｒｆａｃｅ−Ｍｏｕｎｔｅｄ  Ｄｅｖｉｃｅ（表面実装型デバイス））としての固体蓄電池の使用は、共通（相互）接続技術を用いて蓄電池を他の回路構成要素に容易に追加することができ、それに応じて電気回路を、比較的安価に、及び低い棄却率で生産することができるという利点を有する。
【００４０】
少なくとも１つの回路構成要素が、セラミック多層基板に埋め込まれることが可能である。
【００４１】
セラミック多層基板は、１つのセラミック層及び１つの金属化層を有する。１つ又は複数の重ね合わされた金属化層の場合、受動回路素子、例えば、抵抗素子、容量性素子、及び／又は誘導性素子は、金属化された構造体として形成され得る。金属化層間のセラミック層の誘電体は、金属化層間の電気絶縁体として、及び基板を安定させる機械的キャリアとしての役割を果たす。異なる金属化層内の異なる回路素子は、「ビア」によって互いに（相互）接続され得る。そのようなセラミック多層キャリア基板は、その上側又はその下側に、さらなる回路構成要素、例えば、ＳＭＤデバイスを有することができる。
【００４２】
セラミック多層基板、例えば、ＬＴＣＣ基板（ＬＴＣＣ＝Ｌｏｗ−Ｔｅｍｐｅｒａｔｕｒｅ  Ｃｏ−ｆｉｒｅｄ  Ｃｅｒａｍｉｃｓ（低温共焼成セラミック））又はＨＴＣＣキャリア基板（ＨＴＴＣ＝Ｈｉｇｈ−Ｔｅｍｐｅｒａｔｕｒｅ  Ｃｏ−ｆｉｒｅｄ  Ｃｅｒａｍｉｃｓ（高温共焼成セラミック））であってもよい。
【００４３】
セラミックキャリア基板内には凹所が設けられることがあり、少なくとも１つ又は複数の回路構成要素、例えば、太陽電池又は固体蓄電池がこの凹所に埋め込まれる。
【００４４】
基板への回路構成要素の埋め込み、例えば、回路構成要素のモノリシック埋め込みにより、電気回路が生成される対応するデバイスの構造的高さは低減される。
【００４５】
少なくとも２つの異なる回路構成要素は、構造的に組み合わされて１つのモジュールとなっていることが可能である。
【００４６】
３つ以上の回路構成要素が組み合わされて単一のモジュールとなっていてもよい。これらの回路構成要素は、モジュール内にモノリシックに集積されてもよい。このモジュールは、ＳＭＤ実装可能であってもよい。例えば、固体蓄電池、太陽電池、及びさらなる受動回路構成要素が組み合わされて単一のＳＭＤ実装可能モジュールとなってもよい。
【００４７】
少なくとも１つの回路素子が、パッケージ内に配置されることが可能であり、このパッケージの形状及びサイズが従来の市販バッテリの形状及びサイズをモデルにしていることから、パッケージを、そのようなバッテリ用のホルダに挿入することができる。
【００４８】
これにより、２つ以上の回路構成要素が組み合わされているモジュールが、充電池、例えば、ボタン電池の外部幾何学形状で構成されることが可能になる。そのようなモジュールは、従来の電池、例えば、従来のボタン電池に、又は少なくとも従来の電池のレセプタクルに取って代わることができる。したがって、既存の回路において、再設計の必要がない。
【００４９】
エネルギー貯蔵システムの容量及び太陽電池の電力のディメンショニングは、従来の要件を満たし、それにもかかわらず、製造費は低く、寸法は小さく保たれるように選択され得る。
【００５０】
例えば、ある空間が３メートル離れたＬＥＤ灯で照明され、このＬＥＤ灯が１０Ｗの電力を有し、太陽電池が約４ｃｍ２の面積及び１０％の効率を有する場合、太陽電池の出力電力は、総計で約０．７μＷに達する。電気回路が無線照明スイッチであり、約１００μＪの個々のスイッチング動作を必要とする場合、個々のスイッチング動作のための充電時間は、３分未満である。固体蓄電池の貯蔵容量は、総計で約５００ｍＪに達し得る。このように、充電された固体蓄電池は、千回をはるかに超えるスイッチング動作に十分なエネルギーを有する。
【００５１】
そのため、上記のような電気回路は、自律回路内の電源として利用され得る。
【００５２】
自律回路は、無線回路、照明スイッチ、警報システム、火災検知器、時計、例えば、壁時計又は振り子時計、リモートコントローラ、測候器、及び動作検知器から選択されることが可能である。
【００５３】
自律回路は、センサ、例えば、無線センサであることが可能である。
【００５４】
このとき、センサは、放射線、圧力、温度、湿度、化学物質の存在、ガス、又は加速度を検知するように構成されることが可能である。センサは、これらのパラメータと関連付けられた測定変数の任意の所望の組み合わせを決定するように構成されることも可能である。
【００５５】
回路が設けられるモジュールは、約０．３０５ｃｍ×０．２５４ｃｍの寸法（長さ×幅）を有し得る。そのようなモジュールは、したがって、非常に小型の構築物であってもよい。
【００５６】
本電気回路の根底にある動作の機能的原則及びモード、並びに好ましい実施形態の詳細は、概略図内でより詳細に説明される。
【図面の簡単な説明】
【００５７】
【図１】太陽電池式電気回路の等価回路図である。
【図２】３つの直列相互接続された太陽電池を有する電気回路を示す図である。
【図３】ダイオードを有する等価回路図である。
【図４】バリスタを有する等価回路図である。
【図５】抵抗素子を有する等価回路図である。
【図６】容量性素子を有する等価回路図である。
【図７】２つの直列相互接続された固体蓄電池を有する等価回路図である。
【図８】複数の好ましい追加の回路素子を有する等価回路図である。
【図９】太陽電池式電気回路の可能性のある構成の等価回路図である。
【発明を実施するための形態】
【００５８】
図１は、太陽電池を有する電気回路、すなわち、太陽電池式電気回路ＳＥＳの等価回路図を示す。本回路は、第１の端子Ａ１及び第２の端子Ａ２を有する。エネルギー変換器ＥＷは、第１の端子Ａ１と第２の端子Ａ２との間に電気的に結合されている。エネルギー変換器ＥＷは、少なくとも１つの太陽電池ＳＺを有する。エネルギー貯蔵システムＥＳも同様に、第１の端子Ａ１と第２の端子Ａ２との間に電気的に結合されている。エネルギー貯蔵システムＥＳは、固体蓄電池ＦＫＡを有する。エネルギー貯蔵システムＥＷ及び固体蓄電池ＦＫＡは、端子Ａ１、Ａ２の間に互いと並列に相互接続されている。
【００５９】
エネルギー貯蔵システムＥＳ及びエネルギー変換器ＥＷは、２つの端子Ａ１及びＡ２と直接相互接続されていてもよい。しかしながら、少なくとも１つの回路素子、例えば、エネルギー変換器が、さらなる任意選択的な回路素子を介して、これら端子のうちの一方のみと電気的に結合されていることも可能である。
【００６０】
２つの端子Ａ１、Ａ２がポートを構成し、このポートを介して、エネルギー変換器ＥＷ及び／又はエネルギー貯蔵システムＥＳは、太陽電池式電気回路ＳＥＳのさらなる回路構成要素と相互接続され得る。エネルギー貯蔵システムＥＳは、ここでは特に、図１に示される回路構成要素が、太陽電池式電気回路の、図１には示されない回路素子のためのエネルギー源としての役割を果たすことができるように、エネルギー源を構成する。
【００６１】
エネルギー変換器ＥＷは、エネルギー貯蔵システムＥＳが完全には充電されておらず、エネルギー変換器が太陽電池を介して光の形態で電磁エネルギーを受信することができるときに、エネルギー貯蔵システムＥＳを充電することを目的としている。離散時間間隔の場合、その間に電気回路ＳＥＳが外部環境からエネルギーを供給されており、それにもかかわらず、供給電圧及び電気エネルギーを連続して端子Ａ１及びＡ２に提供することが可能である。
【００６２】
図２は、３つの太陽電池をエネルギー変換器ＥＷ内で直列に相互接続する可能性を示す。この場合、固体蓄電池ＦＫＡは、太陽電池の使用電圧の３倍に対応する使用電圧を有し得る。太陽電池の三連の直列相互接続は、それに応じて、エネルギー変換器ＥＷ及びエネルギー貯蔵システムＥＳからの互いへの適合電圧を調節する。
【００６３】
図３は、エネルギー変換器ＥＷとエネルギー貯蔵システムＥＳとの間に相互接続されているダイオードＤの使用を示す。ダイオードＤは、実質的には、暗い場合に太陽電池上への固体蓄電池の放電を防ぐ役割を果たす。この目的のため、ダイオードＤは、エネルギー貯蔵システムの充電中は低い固有抵抗を有し、逆の電流方向においては高い電気抵抗を有するように接続されている。
【００６４】
図４は、バリスタＶを、エネルギー変換器ＥＷと並列にかつエネルギー貯蔵システムＥＳと並列に相互接続する可能性を示す。この場合、バリスタは、実質的には、太陽電池のため又はエネルギー貯蔵システムＥＳのための過電圧保護としての役割を果たす。
【００６５】
図５は、抵抗素子ＲＥ、例えば、オーム抵抗器を、エネルギー貯蔵システムＥＳの固体蓄電池と直列に相互接続する可能性を示す。ここでは、抵抗素子は、実質的には、過剰に高い充電電流を防ぐ直列抵抗器を構成する。
【００６６】
図６は、容量性素子ＫＥをエネルギー貯蔵システムＥＳ内の固体蓄電池と並列に相互接続する可能性を示す。容量性素子、例えば、コンデンサは、ここでは実質的には、個々の事象のためにエネルギーを提供することにおいて固体蓄電池を支援するバックアップコンデンサを構成する。固体蓄電池は、実質的には、高エネルギー密度、及び単に低電力密度によって特徴づけられる。低電力密度は、この場合、バックアップコンデンサの使用によって補償され得る。この方法では、電気回路は、低い蓄電池電力密度という欠点を受容する必要が直接的にはないという状況での高い固体蓄電池エネルギー密度という利点を有する。
【００６７】
図７は、２つの固体蓄電池ＦＫＡ１、ＦＫＡ２をエネルギー貯蔵システムＥＳ内で直列に相互接続する可能性を示す。エネルギー貯蔵システムＥＳ内での個々の固体蓄電池の対応する直列又は並列相互接続のカスケードの度合いを選択することによって、供給電圧又は供給電流に関する多数の異なる要件に電気回路を適合させることが可能である。
【００６８】
上に開示された回路の個々の特徴は、この場合、好適な回路特性が特定の応用事例のために保持されるような方法で互いに組み合わされてもよい。
【００６９】
それに応じて、図８は、エネルギー変換器内の３つの直列相互接続された太陽電池並びにエネルギー貯蔵システム内の抵抗性及び容量性素子を用いた好ましい実施形態を開示する。太陽電池式電気回路ＳＥＳは、バリスタ及びダイオードを追加的に有する。
【００７０】
図９は、電圧を増大させるために６つの太陽電池がエネルギー変換器ＥＷ内で直列に接続されているさらなる構成を示す。エネルギー貯蔵システムＥＳ内には、２つの蓄電池が直列に接続されている。
【００７１】
本電気回路は、機械的スイッチ、センサ（例えば、放射線、圧力、温度、湿度、化学物質、ガス、及び加速度用）、電磁信号を受信又は送信するための無線モジュール、並びにさらなるエネルギー変換器及びエネルギー貯蔵システム、並びにさらなる受動及び能動（例えば、スイッチング状態若しくはセンサ測定された値を評価するため、又は、受信した無線信号若しくは送信されるべき無線信号を評価若しくは生成するための集積電子回路）など、追加の回路構成要素を具備することができる。さらには、本電気回路は、端子Ａ１、Ａ２を介して電気エネルギーを供給され得る回路構成要素を具備することができる。
【符号の説明】
【００７２】
Ａ１，Ａ２：第１、第２の端子
Ｄ：ダイオード
ＥＳ：エネルギー貯蔵システム
ＥＷ：エネルギー変換器
ＦＫＡ：固体蓄電池
ＫＥ：容量性素子
ＲＥ：抵抗素子
ＳＥＳ：（太陽電池式）電気回路
ＳＺ：太陽電池
Ｖ：バリスタ
【図１】
2020520214.tif 000003
【図２】
2020520214.tif 000004
【図３】
2020520214.tif 000005
【図４】
2020520214.tif 000006
【図５】
2020520214.tif 000007
【図６】
2020520214.tif 000008
【図７】
2020520214.tif 000009
【図８】
2020520214.tif 000010
【図９】
2020520214.tif 000011
【国際調査報告】
2020520214.tif 000012
2020520214.tif 000013
2020520214.tif 000014
2020520214.tif 000015